(57)【要約】  【課題】階段の手摺りを構成する支柱構造に関して、段差の異なる階段の場合でも材料を共用できる手摺り支柱構造の提供。  【解決手段】本発明の手摺り支柱構造は、階段の手摺りを支持するために階段の踏板や下階の床面に立設された手摺り支柱構造において、前記手摺り支柱は、階段の踏板や下階の床面に固定された水平部材を底辺とするほぼ三角形状としたものであり、支柱の側面に嵌まり込む嵌合構造が形成された横揺れ防止部材で支持されるように構成した。また、前記手摺り支柱の頂点部分には、階段の傾斜角に応じて傾斜角が調節可能な固定板が設けられている。【選択図】      図１
2006132140.tif 000002
【特許請求の範囲】
【請求項１】
階段の手摺りを支持するために階段の踏板や下階の床面に立設された手摺り支柱構造において、
前記手摺り支柱は、階段の踏板や下階の床面に固定された水平部材を底辺とするほぼ三角形状としたことを特徴とする手摺り支柱構造。
【請求項２】
階段の手摺りを支持するために階段の踏板や下階の床面に立設された手摺り支柱構造において、
支柱の側面に嵌まり込む嵌合構造が形成された横揺れ防止部材を一段上の部分に固定し、
この横揺れ防止部材の嵌合構造に支柱の側面が嵌め込まれていることを特徴とする手摺り支柱構造。
【請求項３】
前記横揺れ防止部材の前記嵌合構造は、断面形状がほぼコ字状となっていることを特徴とする請求項３に記載の手摺り支柱構造。
【請求項４】
前記手摺り支柱の頂点部分には、階段の傾斜角に応じて傾斜角が調節可能な固定板が設けられていることを特徴とする請求項１乃至３の何れか１項に記載の手摺り支柱構造。
【発明の詳細な説明】
【技術分野】
【０００１】
本発明は、階段の手摺りを構成する支柱構造に関するものである。
【背景技術】
【０００２】
従来より、階段の手摺りは、手摺り支柱に支持されている。この手摺り支柱は階段の踏板に立設されている。最下段の踏板の下段の支柱は下階の床面に立設されている。
このように立設された手摺り階段が揺れたり倒れないように保持する必要があるが、手摺り支柱は、階段の昇降方向への揺れと、横揺れの可能性がある。
手摺りと複数の手摺り支柱とで構成される平行四辺形の構造によって、昇降方向への揺れは防止されるが、横方向への揺れは防止されないので、横方向の揺れを防止するための構造が必要である。
そのために、支柱の途中部分を、一段高い踏板の段鼻部にネジ止めすることが行われている。さらに、階段の段差が異なる場合でも、対応できるように、前記ネジ止めするネジ孔を縦長の長孔もしくは複数の孔として上下調整自在に固定する構造が提案されている。（例えば、特許文献１参照）
【０００３】
【特許文献１】特開２００３−２１３８７５号公報
【発明の開示】
【発明が解決しようとする課題】
【０００４】
ところが、上述したような特許文献１に記載された構造では、支柱に長孔や使用しない孔が露顕するので意匠上の問題があった。
また、長孔の長さでも対応できない位置や、複数の孔の何れもが対応しない微妙な位置で、段鼻部に固定しなければならない場合には、特許文献１の構造では対応できないという問題があった。
【０００５】
そこで、本発明は、段差の異なる階段の場合でも材料を共用できる手摺り支柱構造の提供を目的としてなされたものである。
【課題を解決するための手段】
【０００６】
本発明の請求項１の手摺り支柱構造は、階段の手摺りを支持するために階段の踏板や下階の床面に立設された手摺り支柱構造において、前記手摺り支柱は、階段の踏板や下階の床面に固定された水平部材を底辺とするほぼ三角形状としたことを特徴としている。
請求項２は、階段の手摺りを支持するために階段の踏板や下階の床面に立設された手摺り支柱構造において、支柱の側面に嵌まり込む嵌合構造が形成された横揺れ防止部材を一段上の部分に固定し、この横揺れ防止部材の嵌合構造に支柱の側面が嵌め込まれていることを特徴としている。
請求項３は、前記横揺れ防止部材の前記嵌合構造は、断面形状がほぼコ字状となっていることを特徴としている。
請求項４では、前記手摺り支柱の頂点部分には、階段の傾斜角に応じて傾斜角が調節可能な固定板が設けられている。
【発明の効果】
【０００７】
本発明の手摺り支柱構造においては、手摺り支柱は三角形状となっているので、手摺りを安定して支持することができる。
また、手摺り支柱が三角形状のため、支柱を構成する斜めの部材が支柱間の隙間を塞ぐ形になるので、子供等が支柱の隙間から落下することを防ぐ効果も得られる。
また、前記手摺り支柱は、横揺れ防止部材に固定されているのではなく、嵌合構造によって単に嵌め込まれているだけであって、手摺り支柱の横揺れは規制するが、手摺り支柱の昇降方向への揺れを規制するものではない。また、手摺り支柱の上下方向の移動を規制するものではない。
手摺りと手摺り支柱との連結構造によって昇降方向へのゆれは規制されているので、横揺れを規制するだけでよいのである。
横揺れ防止部材は、手摺り支柱の側面に嵌まり込むことによって、手摺り支柱の横揺れを防止する構造であるので、階段の段差が異なる場合でも、段鼻部に固定した横揺れ防止部材によって、手摺り支柱の側面に嵌まりこんで横揺れ方向を規制することができる。
【発明を実施するための最良の形態】
【０００８】
以下に、本発明にかかる手摺り支柱構造を、その実施の形態を示した図面に基づいて詳細に説明する。
図１において、
１は手摺り、２は手摺り支柱、３は階段である。
手摺り１は前記階段の傾斜に沿って斜めに設置されており、複数の手摺り支柱２、２、・・・で支持されている。
31、32は昇降方向に隣接する段であり、31が下側段、32が上側段である。311は下側段31の踏板、321は上側段32の踏板、322は上側段32の段鼻部である。
【０００９】
４は本発明の特徴となる横揺れ防止部材であり、図２に示したように、断面形状がほぼコ字状となっており、手摺り支柱２の側面を挟み込むための向かい合った平行面41、42が形成されている。
前記平行面に垂直な面43には、この横揺れ防止部材４を一段上の部分の段鼻部（もしくは蹴り込み板もしくは踏板）にネジ止めするための孔44が例えば２つ形成されている。
【００１０】
図２において二点鎖線で示したように、手摺り支柱２の側面を前記向かい合った平行面41、42で挟み込むことにより、手摺り支柱２は横揺れ防止部材４に嵌め込まれた状態で支持される。
手摺り支柱２の下端の水平部材は下側段31の踏板311に固定され、垂直部材の側面は横揺れ防止部材４で挟み込まれているので、手摺り支柱２の横方向への揺れは規制されている。なお、手摺り支柱２は上下方向へは固定されていないので変位可能である。
【００１１】
前記手摺り支柱２は、図３に示したように、側面視略三角形状になっている。具体的には直角三角形状になっており、踏板に固定する部分となる水平部材21と、横揺れ防止部材４に保持される部分となる垂直部材22と、直角三角形の斜辺となる斜め部材23とから構成されている。
そして、前記垂直部材22と斜め部材23とが交わる上部の頂点部分Ａには、手摺り１と連結するための固定構造24が傾斜角を調節可能に軸支されている。
前記固定構造24は、図３に示したように、前記頂点部分Ａに軸支されている軸241と、この軸241に立設された連結材242と、この連結材242に連設された固定板243とから構成されている。
図４に示したように、手摺り１の裏面には溝11が形成されており、この溝11の幅は、前記固定板243が嵌まり得る幅に設定されている。
【００１２】
以上の構成の手摺り支柱構造の施工手順の一例を説明する。
まず、施工対象の階段の仕様に応じて、手摺りと、手摺り支柱と、横揺れ防止部材を選定し、手摺りの長さと、手摺り支柱の数量と、横揺れ防止部材の個数とを確認して、必要な材料を準備する。
そして、各段の段鼻部に横揺れ防止部材をネジ止めする。次に、各手摺り支柱の垂直部材の側面を各横揺れ防止部材に嵌め込んで仮固定した状態で、各手摺り支柱の水平部材は各段の踏板（最下段の下段の場合には下階の床）にネジ止めする。
この状態で、各手摺り支柱は三角形の形状と、横揺れ防止部材による作用によって、横方向にも、階段の昇降方向にも揺れが規制された状態となっている。
そして、手摺り１の裏面の溝11に、各手摺り支柱２の固定部材24の固定板243を嵌め込みながら手摺り１を取り付け、さらに、前記固定板243と手摺り１とをネジ止めする。
【００１３】
以上のようにして、安定した手摺り支柱２で手摺り１を支持することができる。また、段差が異なる場合でも、横揺れ防止部材４の取付け位置が変るだけで、手摺り支柱２の垂直部材は、横揺れ防止部材４によって横揺れしないように保持されるので、長孔を設けたり、孔を開け直したりする必要がない。
なお、段差が異なる階段に対しても横揺れ防止部材を共用することができる。
【実施例１】
【００１４】
実施例の手摺り支柱は、水平部材の長さが180mm、垂直部材の長さ（ほぼ高さと同じ）が900mmとなっている。そして、垂直部材の幅は38mm、固定部材の固定板の幅も38mmとなっている。
なお、手摺り支柱は、直角三角形状でなくてもよい。また、三角形状でない支柱でもよい。また、横揺れ防止部材の形状はコ字状でなくてもよく、支柱の一部を囲繞する構造であればよい。支柱の側面に形成した縦溝に嵌め込んてもよい。
【図面の簡単な説明】
【００１５】
【図１】本発明にかかる手摺り支柱構造の実施の形態の構成を示した構成図である。
【図２】横揺れ防止部材の斜視図である。
【図３】手摺り支柱２の側面図である。
【図４】手摺りの断面図である。
【符号の説明】
【００１６】
１  手摺り
２  手摺り支柱
３  階段
４  横揺れ防止部材
【図１】
2006132140.tif 000003
【図２】
2006132140.tif 000004
【図３】
2006132140.tif 000005
【図４】
2006132140.tif 000006